(57)【要約】塗布器の一実施形態は、フェルールを伴うブラシヘッドと、ブラシハンドルとを含む。フェルールは、一方の端にヘッドを、もう一方の端にハンドルを有する。ブラシハンドルとフェルールとがつながれるところには、磁性素子が取り付けられ、これらのうちの少なくとも１つは磁石である。ブラシヘッドは、ハンドルから取り外すこと、ハンドルに組み付けること、及び必要に応じて随時容易に交換することが可能である。フェルールは、内側にある磁石の作用によって、ハンドル上にしっかりと維持することができる。ヘッドは、ハンドル上に装着されたスリーブを前方へスライドさせてヘッドの側面に被せることによって、収納することができる。ヘッドは、ハンドルから取り外されたときに、水がスリーブ機構に浸入するリスクを伴うことなく洗浄することができる。ヘッドは、また、差し換える又は取り換えることもでき、これは、ブラシの多用途性を大幅に拡大するとともに、材料の無駄を回避することもできる。
2011528931.tif 000002
【特許請求の範囲】
【請求項１】
ヘッド交換可能な化粧用塗布器であって、
化粧品を塗布するためのヘッドと、フェルールと、第１の磁気素子とを含むヘッドアセンブリと、
第２の磁気素子を含むハンドルと、
前記フェルール上及び前記ハンドル上のいずれかの、スライド可能なスリーブと、
を備え、
前記第１の磁気素子及び前記第２の磁気素子の少なくとも１つは、磁石であり、前記ヘッドアセンブリは、前記ヘッドアセンブリと前記ハンドルとが取り付けられたときに、前記第１の磁気素子と前記第２の磁気素子との間の磁力によって前記ハンドルに解放可能式に取り付け可能であり、
前記ヘッドアセンブリと前記ハンドルとが取り付けられたときに、前記スリーブは、それが前記ヘッドを少なくとも部分的に取り囲む引き出し位置と、前記ヘッドが使用のために露出される引き込み位置との間で前記ハンドルの長手方向にスライド可能である、ヘッド交換可能な化粧用塗布器。
【請求項２】
請求項１に記載のヘッド交換可能な塗布器であって、
前記スリーブが前記引き込み位置にあるときに、前記第２の磁気素子、及び前記第１の磁気素子を含む前記フェルールの少なくとも一部は、前記スリーブ内にある、ヘッド交換可能な塗布器。
【請求項３】
請求項１に記載のヘッド交換可能な塗布器であって、
前記スリーブは、前記ハンドル上に装着され、その一部は前記ハンドルの外側ボディ内にある、ヘッド交換可能な塗布器。
【請求項４】
請求項１に記載のヘッド交換可能な塗布器であって、
前記第１の磁気素子及び前記第２の磁気素子は、ともに、永久磁石であり、前記ハンドルと前記ヘッドアセンブリとが組み合わされたときに互いに引き合うように配向される、ヘッド交換可能な塗布器。
【請求項５】
請求項１に記載のヘッド交換可能な塗布器であって、
前記第１の磁気素子及び前記第２の磁気素子は、一方が永久磁石であり、もう一方が軟磁性である、ヘッド交換可能な塗布器。
【請求項６】
請求項１に記載のヘッド交換可能な塗布器であって、更に、
フェルールと、第１の磁気素子とを含む少なくとも１つの追加のヘッドアセンブリを備え、
前記追加のヘッドアセンブリは、前記追加のヘッドアセンブリと前記ハンドルとが取り付けられたときに、前記第１の磁気素子と前記第２の磁気素子との間の磁力によって前記ハンドルに解放可能式に取り付け可能である、ヘッド交換可能な塗布器。
【請求項７】
請求項１に記載のヘッド交換可能な塗布器であって、更に、
前記ヘッドアセンブリと前記ハンドルとが取り付けられたときに、前記ヘッドの上から前記スリーブに被さるような寸法にされたキャップを備えるヘッド交換可能な塗布器。
【請求項８】
請求項７に記載のヘッド交換可能な塗布器であって、
前記キャップは、前記スリーブが引き込まれたときに前記ヘッドに被さるのに十分な長さであり、前記キャップは、前記キャップが前記スリーブ上の止めに係合するまで前記スリーブに被せられる、ヘッド交換可能な塗布器。
【請求項９】
ヘッド交換可能な塗布器のためのハンドルであって、
スリーブと、
前記スリーブ内の磁気素子と、
を備え、
前記スリーブ及び前記磁気素子は、前記磁気素子の反対側に開放端を有する空洞を少なくとも部分的に画定し、
前記スリーブは、前記開放端と前記磁気素子との間の前記空洞の長さが異なる引き出し位置と引き込み位置との間でスライド可能である、ハンドル。
【請求項１０】
請求項９に記載のハンドルであって、更に、
前記磁気素子に対して固定され、前記磁気素子、及び前記開放端の反対側の前記スリーブの一部を囲うハンドルボディを備えるハンドル。
【発明の詳細な説明】
【技術分野】
【０００１】
（関連出願）
本出願は、引用によって全体を本明細書に組み込まれたXianzhen Piaoによる２００８年７月２４日出願の米国仮特許出願第６１／１３７，０５７号の権利を主張する。
【０００２】
本出願は、引用によって全体を本明細書に組み込まれた２００７年１０月２２日出願の米国特許出願第１１／９７５，８０８号、公開番号ＵＳ  ２００８／０２８３０８３  Ａに関連する。
【０００３】
（技術分野）
化粧用ブラシは、メイクをする人にとっての主要な塗布器である。異なる種類のメイクは、リップブラシやアイシャドウブラシのように異なる種類のブラシを必要とする。現在市販されている化粧用塗布器では、１つのブラシに１つの機能しかないので、満足のいくメイクを施すには、使用者は、ブラシをセットで購入する必要がある。通常のブラシのブラシヘッドは、頻繁な使用によって損傷されて、交換が必要になる可能性がある。しかしながら、ブラシのヘッドのみが損傷されたときにブラシのハンドル及びフェルールを捨てるのは、無駄遣いである。
【０００４】
同一出願人による米国特許出願第１１／９７５，８０８号は、共通のハンドルを共有する互換性のヘッドを伴うブラシを提案している。この出願で提案されるブラシセットでは、取り外されたヘッドは、各ブラシの毛又はその他の塗布用ヘッドを露出させた状態で袋にしまわれる。袋の中でヘッドどうしが擦れ合うことがないように注意が払われるが、ヘッドからヘッドへの化粧品の移り又はヘッドの損傷を完全に阻止することはできない。実際にハンドルに装着されたヘッドは、袋にしまわれないのが通常であるので、よりいっそう無防備である。
【０００５】
スリーブを含む化粧用ブラシが市販されている。スリーブは、それが効果的にハンドルの一部になる引き込み位置と、それがブラシヘッドを取り囲んで保護する引き出し位置との間でスライドすることができる。これらの「引き込み可能な」ブラシのデメリットは、ブラシヘッドを洗浄する際に水又はその他の洗浄剤がスリーブ機構に浸入する恐れがあることである。水は、金属のパーツをさびさせる又は変色させる、天然材料のパーツを膨張させる、及びスリーブ機構の機能又は外観をその他の形で損なわせる恐れがある。水は、たとえ実質的な損傷を及ぼさない場合でも、機構内に捕らわれたままになって、次にスリーブが引き出されたときにスリーブを濡れた状態にする恐れがあり、これは、使用者にとって不快であり、水分は、望ましくない形で粉末化粧品と化合する恐れがある。また、ハンドル及びスリーブ機構は、比較的高価であり、損傷された又は使い古されたときに廃棄する必要があるブラシヘッドごとにこのようなハンドル及びスリーブ機構を用意することは、非経済的である。
【０００６】
（発明の概要）
本発明の一実施形態にしたがって、１つ又は２つ以上の取り外し可能ヘッドを有するブラシが提供される。ブラシは、ヘッドの非使用時にヘッドを環境から保護する及び／又は環境をヘッドから保護するために引き出すことができる、すなわちヘッドをその中に格納することができるスリーブを有する。
【０００７】
本発明の一実施形態において、ブラシは、ブラシヘッドと、フェルールと、ブラシハンドルとを含む。ブラシは、フェルールの一方の端にヘッドが、フェルールのもう一方の端
にハンドルがくるように組み立てられる。ブラシハンドルとフェルールとがつながるところでは、これら２つのパーツの少なくとも一方に、磁石が取り付けられる。ブラシは、更に、ハンドル又はフェルールのいずれかに係留されたスリーブであって、それがブラシヘッドの側面を取り囲む引き出し位置と、使用のためにブラシヘッドを露出させたにままする引き込み位置との間でブラシヘッドに相対的にスライド可能であるスリーブを含む。
【０００８】
その引き込み位置にあるスリーブは、目に見える外側の覆い又はボディの内側に、少なくとも部分的に引き込まれてよい。
【０００９】
ブラシは、更に、スリーブが引き出し位置にあるときにブラシヘッド及びスリーブに被さるキャップを含むことができる。キャップは、スリーブが引き出し位置にあるときのみスリーブに被さってよい。或いは、キャップは、スリーブが引き込み位置にあるときもブラシヘッド及びスリーブに被さるのに十分な長さであってよい。ゆえに、キャップは、スリーブを引き出し、スリーブにキャップを被せ、スリーブを引っ込ませることによって装着されてよく、こうして、キャップのヘリが外側の毛に引っ掛かることなくキャップをブラシヘッドに被せるという（普通はほぼ克服不可能な）問題が回避される。
【００１０】
１本のブラシハンドルは、様々なブラシヘッドと組み合わせることができる。ブラシヘッドが損傷されたら、使用者は、ブラシを丸ごと捨てる代わりに、ブラシヘッドだけを換えることができる。また、このブラシは、磁石によってブラシハンドルに容易に組み付けられる様々なブラシヘッドを提供することによって、化粧をするにあたって様々な機能を果たすことができる。
【００１１】
ブラシは、１つのヘッドに使用することができる異なるハンドル、又は１本のハンドルに使用することができる異なるヘッドを含む、キットの一部であってよい。ヘッド又はハンドルを取り換えることによって、使用者は、異なる幾つかのブラシの機能性を、それだけの数のブラシのコスト及びサイズを伴うことなく得ることができる。例えば、１本のハンドルを様々なブラシヘッドとともに小さい化粧箱又は化粧ポーチに入れることによって、ブラシヘッドを汚れないようにすると同時に旅行時の携帯に便利なブラシセットを提供することができる。
【００１２】
以上の概要及び以下の詳細な説明が、ともに例示及び説明のためであること、並びに特許請求の範囲に記載された本発明の更なる説明を提供することを意図していることを、理解されるべきである。
【００１３】
本発明の更なる理解を可能にするために含まれ、本明細書に組み込まれるとともにその一部を構成する添付の図面は、本発明の実施形態を示しており、説明と相まって、本発明の原理を説明する働きをする。
【図面の簡単な説明】
【００１４】
【図１】組み立てられたブラシの正面図である。
【図２】図１に示されたブラシの側面図である。
【図３】図１に示されたブラシにキャップを付けた正面図である。
【図４】図３に示されたキャップ付きブラシの側面図である。
【図５】図１に示されたブラシのハンドルの正面切開図である。
【図６】図１に示されたブラシのハンドルの側面切開図である。
【図７】図１に示されたブラシのヘッドの正面切開図である。
【図８】図１に示されたブラシのヘッドの側面切開図である。
【図９】図３に示されたようなキャップの正面図である。
【図１０】図４に示されたようなキャップの側面図である。
【図１１】図９及び図１０に示されたキャップの断面図である。
【発明を実施するための形態】
【００１５】
添付の図面に例を示された本発明のブラシの様々な実施形態について、詳細に言及される。これらの実施形態は、限定のためではなく説明を目的として述べられる。
【００１６】
図面に言及すると、概して参照符号１０によって示されたブラシの一実施形態は、図７及び図８にそれぞれ示されたブラシヘッドアセンブリ１２と、図５及び図６にそれぞれ示されたブラシハンドル１４とを含む。
【００１７】
ブラシヘッドアセンブリ１２は、毛などを含むヘッド１６と、フェルール１８とを含む。フェルール１８の端２２に、ヘッド１６とは反対側に、第１の磁石２０の形で第１の磁気素子が装着される。この実施形態では、フェルール１８は、従来の方式で毛１６を保持するので、ヘッド１６、フェルール１８、及び第１の磁石２０は、使用者の観点から見て、永久的なヘッドアセンブリ１２を形成する。
【００１８】
この実施形態では、フェルール１８は、装飾的な外観を持つ陽極酸化アルミニウム又はその他の材料で形成される。詳細には示されないが、フェルール１８、及び目に見える端２２の表面は、１つのカップ状のピースとして形成されてよい、又は別々であってよい。後者の場合、フェルール１８の後縁は、端２２に巻き付くヘリを形成してよい。第１の磁石は、はっきり目に見えてよい、又は端２２全体を形成してよい、又は装飾的な外装によって覆われてよい。
【００１９】
次に、特に図５及び図６について言及すると、ハンドル１４は、使用者が持ちやすいようなサイズ及び形状にされたハンドルボディ３０を含む。図に示されるように、ハンドルボディ３０は、厳密な数学的意味において円筒形である。図１１（のちほど更に詳しく説明されるように、ボディ３０に対応する蓋５０の形状を示している）からわかるように、この実施形態では、ボディ３０は、円形ではなく楕円形の円筒である。ボディ３０の断面形状は、この実施形態での基本的ブラシヘッドであるヘッド１６の形状によって決定されてよい。もし１本のハンドル１４で異なる形状のヘッド１６が使用される場合は、円形、又は丸みのある楕円形が好ましいであろう。図に示されるように、ハンドルボディ３０は、長さが約５０ｍｍ（２インチ）で幅が約１９ｍｍ（４分の３インチ）であるが、その他の形状及びサイズが使用されてもよい。例えば、長めのハンドルを用意して、図に示されたハンドル１４よりも下方の（ブラシヘッド１２から遠い）部分を、ブラシの機能に影響を及ぼすことなく別の形状にしてよい。ハンドルボディ３０の外側は、装飾的な仕上げを有してよい。
【００２０】
ハンドルボディ３０には、スリーブ３２が嵌め込まれる。コア３４もまた、ハンドルボディ３０に嵌め込まれ、コア３４と、ハンドルボディ３０の内部との間に、スリーブ３２をスライドさせることができる狭い隙間が形成される。コア３４の後端は、任意の便利な方式でハンドルボディ３０の後端に取り付けられる。
【００２１】
コア３４の前端３５は、第１の磁石２０によって引き付けられてブラシヘッドアセンブリ１２をハンドルアセンブリ１４内の適所にしっかり保持することができる、軟磁性の鉄のような、強磁性材料３６片の形の第２の磁気素子を有する。図１と、図５と、図７との比較によってわかるように、ブラシヘッドアセンブリ１２のフェルール１８は、次いで、その長さの全部ではなく一部がハンドルボディ３０の内側に入るように、ハンドルボディ３０及びスリーブ３２の内側に嵌め込まれる。コア３４の前端３５は、外向きに突き出した玉縁３８に取り囲まれる。
【００２２】
スリーブ３２は、ハンドルボディ３０の楕円形又はその他の断面に一致する断面形状を持つ概して円筒状である。スリーブ３２は、スリーブをその途中の一部の長さにわたって取り巻く外向きに突き出した環、すなわち玉縁４０と、その後端にある内向きに突き出したへり４２とを有する。玉縁４０の上方及び下方にあるスリーブ３２の部分４４及び４６は、同じサイズである必要はなく、両部分とも、結合を伴うことなくフェルール１８をぴったりと収容すると好都合である。以下で更に詳しく説明されるように、スリーブ３２のへり４２は、ハンドルボディ３０とコア３４との間の隙間内を自由に移動することができるような、ただしコア上の玉縁３８を超えることができないようなサイズにされる。
【００２３】
スリーブがその引き込み位置にあるとき、玉縁４０は、ハンドルボディ３０の前端に当接し、引き込み方向への玉縁４０の更なる移動を停止させる。その位置にあるときは、図１及び図２に示されるように、スリーブ３２の前方部分４４は、フェルール１８の一部に重なる。スリーブ３２は、普通はフェルール１８の前端を超えてブラシヘッド１６に重ならないことが望ましく、ただし、特定のケースではそうなってよい。普通は、ヘッドアセンブリ１２をハンドルアセンブリ１４から取り外すときに、使用者が親指と別の指とでつかめるように、十分な長さのフェルール１８が露出した状態で残される。スリーブ３２の前方部分４４の外側の仕上げは、フェルール１８のそれと一致してもよいし、或いは装飾的な効果のためにそれと対照をなしてもよい。玉縁４０のすぐ下方にあるスリーブ３２上の１対の突き出しドット４８は、ハンドルボディ３０の内側に圧力嵌め又は摩擦嵌めを提供し、スリーブをその完全引き込み位置に安定的に保持することができる。
【００２４】
スリーブ３２がその引き出し位置にあるときは、スリーブの後端にあるへり４２は、コア３４の玉縁３８に引っ掛かり、スリーブがハンドルボディ３０から完全に引き出されないようにする。引き出し位置にあるとき、スリーブ３２は、ヘッド１６の最も先端でもスリーブ３２の前縁よりも下方にあるように、ヘッド１６を完全に取り囲むことが好ましい。ヘッド１６の長さに関係してスリーブ３２の移動距離が小さいほど、ハンドルボディ３０に必要とされる長さが短いことがわかる。しかしながら、先の尖ったブラシヘッド１６の場合は、その先細る途中までしか到達しないスリーブ３２でも許容可能であると考えられる。
【００２５】
ブラシアセンブリ１０は、更に、キャップ５０を含む。図３、図４、及び図９〜１１を参照せよ。キャップ５０は、スリーブ３２の前方部分４４にぴったりと被さり、圧力嵌め又は摩擦嵌めを提供する２つの突き出しドット５２によって適所に保持される。キャップ５０は、玉縁４０に着座し、美的外観のため、ハンドルボディ３０と同じ断面サイズであってよい。図３及び図４からわかるように、キャップが適所にあるときに、玉縁４０は見えている。玉縁４０は、装飾的な外観を与えられてよく、もし互換性でないならば、提供されるブラシのタイプを示すために色分けされてよい。本実施形態に示されるように、キャップ５０は、たとえスリーブ３２が完全に引き込まれているときでもキャップの内側がヘッドの先端を潰すことなくブラシヘッド１６を覆うのに十分な長さである。
【００２６】
使用の際は、スリーブ３２を引き込まれ且つヘッドアセンブリ１２を装着された状態のブラシ１０が、正常な化粧用ブラシとして使用されてよい。ヘッドアセンブリ１２は、露出されたフェルール１８又はヘッド１６の縁（図１を参照せよ）を、親指と別の指との間で又は適切な道具によってしっかりとつかみ、磁気素子２０と３６との間の磁力に逆らって引き離すことによって、取り外すことができる。ヘッド１６は、すると、ハンドル又はスリーブ機構を水又はその他の洗浄剤に曝すことなく洗浄することができる。次いで、単純に、磁気素子２０と３６との間の磁力が効果を発してヘッドアセンブリを適所に引き寄せるまでスリーブ３２を挿入することによって、ヘッドアセンブリ１２を再装着する又は新しいヘッドアセンブリ１２を装着することができる。
【００２７】
ブラシヘッド１６を保護するには、スリーブ３２は、ブラシヘッドの上を前方へスライドされてよい。更なる使用のためにブラシヘッド１６を露出させるには、スリーブは、ハンドルボディ３０内に戻るようにスライドされてよい。キャップ５０を取り付けるには、スリーブ３２は、ブラシヘッド１６の少なくとも外側部分が保護されるまで前方へスライドされる。キャップ５０は、次いで、キャップの縁がブラシヘッドを汚くするリスクを全く伴うことなくスリーブ３２に被せられる。このようにして、例えば端の方にあるブラシの毛にキャップ５０のへりが引っ掛かってそれらの毛を潰して若しくは折り曲げてブラシヘッド１６を損傷させるリスクが回避される、又は少なくとも大幅に軽減される。玉縁４０よりも下方のスリーブ３２の露出部分は、キャップ５０を被せる間にスリーブが引っ込まないように、握っていることができる。キャップ５０は、次いで、押し下げられ、これは、スリーブ３２を引っ込ませる。或いは、キャップ５０は、スリーブ３２の前方部分４４を覆うのに十分な長さしかなくてよく、この場合、スリーブ３２は、キャップ５０が適所にある間、引き出された状態のままである。この代替形態では、スリーブ３２を引き出し位置に保持するために、突き出しドット４８又はその他の戻り止めが、更にもう１対提供されてよい。
【００２８】
図に示されたブラシ１０は、第１の磁石２０と、永久磁化されたのではない第２の磁気素子３６とを伴うものとして説明されている。或いは、第２の磁気素子３６が磁石で、第１の磁気素子２０が磁化可能な鉄片であってよい。或いは、第１及び第２の磁気素子２０、３６の両方が永久磁石であってよい。磁石２０、３６は、次いで、組み立て位置において互いに引き合うように配向される。例えば、磁石は、ともに、フェルール及びハンドルコア３４の軸に平行な同一方向に極性方向を持つように磁化されてよい。磁気素子２０、３６の一方のみを永久磁石とし、もう一方を磁化可能な鉄片とすると、所定の磁性材料及びブラシサイズに対して得られる最大付着力が小さくなるが、コストが削減され、２つの永久磁石が同じ方向に揃えられるように保証する必要性が回避される。
【００２９】
上記の同時係属出願第１１／９７５，８０８号に記載されるように、メイクを施す全過程のなかの様々な目的に合わせて異なるヘッドアセンブリを持つ化粧セットが提供されてよい。ブラシは、異なるヘッドを有してよい。適切なヘッドとして、スポンジ塗布器、ブラシとクシ、並びにメイクを施す又は自身の身なりをその他のやり法で手入れする過程で使用されるその他の塗布器又は道具などの、様々な形状のブラシヘッドが挙げられる。これらの各種のヘッドアセンブリ１２は、全て、スリーブ３２が引き込まれたときに少なくともフェルールの後端２２からスリーブ３２の前端にかけてスリーブ３０内にぴったりと嵌るように、同じサイズ及び形状のフェルール１８を有することが好ましい。そのサイズ及び形状は、したがって、望ましくは、セットのなかで最も大きいヘッド１６に対応する。スリーブ３２の前方では、フェルールは、より薄く且つより狭いヘッドに合うように、先細ることができる。
【００３０】
或いは、一部又は全部のヘッドアセンブリは、実質的に同じヘッドを複数有してよく、これらのヘッドは、同じブラシ又はその他の塗布器を２つ以上の化粧品材料に使用することによる材料の汚れを回避するために、色の異なる化粧品材料を含む異なる化粧品材料を塗布するために使用されてよい。或いは、ブラシヘッドアセンブリ１２の一部は、形状は同様で素材が異なってよく、例えば、あるブラシが別のブラシよりも堅くてよい。このような場合、もし１本のハンドルアセンブリ１４で互換式に複数のヘッドが使用されるならば、色分けされたフェルール１８が、又はもしハンドルが互換性でないならば、色分けされた玉縁４０が、使用者にとって特に役立つであろう。
【００３１】
２つ以上のヘッド１６を含む化粧用塗布キットは、ハンドルアセンブリ１４が１本であれ又は複数であれ、上記の同時係属出願第１１／９７５，８０８号で論じられるように、袋又はポーチに保管されてよい。
【００３２】
本発明では、発明の趣旨又は範囲から逸脱することなく様々な変更及び変形をなすことが可能である。したがって、本発明は、もし添付の特許請求の範囲及びそれらの等価物の範囲内であれば、本発明の変更及び変形の形態をもその範囲内に含むことを意図している。
【００３３】
例えば、互換性のヘッドを伴うブラシでは、スリーブ３２は、各ヘッド１６がハンドルアセンブリ１４から取り外されるときに、その問題のヘッドがスリーブ３２又はキャップ５０によって保護された状態のままであるように、フェルールに取り付けることができるであろう。
【００３４】
例えば、スリーブ３２は、ハンドルボディ３０の内側ではなく外側に取り付けることができるであろう。
【００３５】
例えば、１つのキットに、同じ又は異なる２本又は３本以上の互換性のハンドル１４が用意されてよい。或いは、例えば、１つのヘッドを異なるやり方で使用することを可能にするために、１つのヘッドが異なるハンドルで使用されてよい。
【００３６】
以上では、目立った実施形態が説明されてきたが、当業者ならば、同時係属出願第１１／９７５，８０８号に記載される特徴を含む異なる実施形態の特徴がどのように組み合わせ可能であるかを理解することができるであろう。
【図１】
2011528931.tif 000003
【図２】
2011528931.tif 000004
【図３】
2011528931.tif 000005
【図４】
2011528931.tif 000006
【図５】
2011528931.tif 000007
【図６】
2011528931.tif 000008
【図７】
2011528931.tif 000009
【図８】
2011528931.tif 000010
【図９】
2011528931.tif 000011
【図１０】
2011528931.tif 000012
【図１１】
2011528931.tif 000013
【手続補正書】
【提出日】平成22年6月25日(2010.6.25)
【手続補正１】
【補正対象書類名】特許請求の範囲
【補正対象項目名】全文
【補正方法】変更
【補正の内容】
【特許請求の範囲】
【請求項１】
ヘッド交換可能な化粧用塗布器であって、
化粧品を塗布するためのヘッドと、第１の磁気素子によって少なくとも一部を画定される下端を含むフェルールとを含むヘッドアセンブリと、
第２の磁気素子によって少なくとも一部を画定される上端を含むハンドルと、
前記フェルール上又は前記ハンドル上のいずれかの、スライド可能なスリーブと、
を備え、
前記第１の磁気素子及び前記第２の磁気素子の少なくとも１つは、磁石であり、前記ヘッドアセンブリは、前記ヘッドアセンブリと前記ハンドルとが取り付けられたときに、前記第１の磁気素子と前記第２の磁気素子との間の磁力によって前記ハンドルに解放可能式に取り付け可能であり、
前記フェルールの前記下端及び前記ハンドルの前記上端は、概して平らであり、
前記ヘッドアセンブリと前記ハンドルとが取り付けられたときに、前記スリーブは、それが前記ヘッドを少なくとも部分的に取り囲む引き出し位置と、前記ヘッドが使用のために露出され前記第２の磁気素子、及び前記第１の磁気素子を含む前記フェルールの少なくとも一部が前記スリーブ内にある引き込み位置との間で前記ハンドルの長手方向にスライド可能である、ヘッド交換可能な化粧用塗布器。
【請求項２】
請求項１に記載のヘッド交換可能な塗布器であって、
前記スリーブは、前記ハンドル上に装着され、その一部は前記ハンドルの外側ボディ内にある、ヘッド交換可能な塗布器。
【請求項３】
請求項１に記載のヘッド交換可能な塗布器であって、
前記第１の磁気素子及び前記第２の磁気素子は、ともに、永久磁石であり、前記ハンドルと前記ヘッドアセンブリとが組み合わされたときに互いに引き合うように配向される、ヘッド交換可能な塗布器。
【請求項４】
請求項１に記載のヘッド交換可能な塗布器であって、
前記第１の磁気素子及び前記第２の磁気素子は、一方が永久磁石であり、もう一方が軟磁性である、ヘッド交換可能な塗布器。
【請求項５】
請求項１に記載のヘッド交換可能な塗布器であって、更に、
フェルールと、第１の磁気素子とを含む少なくとも１つの追加のヘッドアセンブリを備え、
前記追加のヘッドアセンブリは、前記追加のヘッドアセンブリと前記ハンドルとが取り付けられたときに、前記第１の磁気素子と前記第２の磁気素子との間の磁力によって前記ハンドルに解放可能式に取り付け可能である、ヘッド交換可能な塗布器。
【請求項６】
請求項１に記載のヘッド交換可能な塗布器であって、更に、
前記ヘッドアセンブリと前記ハンドルとが取り付けられたときに、前記ヘッドの上から前記スリーブに被さるような寸法にされたキャップを備えるヘッド交換可能な塗布器。
【請求項７】
請求項６に記載のヘッド交換可能な塗布器であって、
前記キャップは、前記スリーブが引き込まれたときに前記ヘッドに被さるのに十分な長さであり、前記キャップは、前記キャップが前記スリーブ上の止めに係合するまで前記スリーブに被せられる、ヘッド交換可能な塗布器。
【請求項８】
ヘッド交換可能な塗布器のためのハンドルであって、
磁気素子によって少なくとも一部を画定される概して平らな端を有するコアと、
前記コアが固定位置に維持されるときに前記コアに対してスライド可能であるスリーブと、
を備え、
前記コアの前記概して平らな端は、空洞の床面を画定し、前記床面は、前記スリーブによって画定される前記空洞の可動壁と、前記床面の周まわりの境界において交わり、
前記スリーブは、前記開放端と前記磁気素子との間の前記空洞の長さが異なる引き出し位置と引き込み位置との間でスライド可能である、ハンドル。
【請求項９】
請求項８に記載のハンドルであって、更に、
前記コアに対して固定され、前記コア、前記磁気素子、及び前記開放端の反対側にある部分の前記スリーブを囲うハンドルボディを備えるハンドル。
【請求項１０】
ヘッド交換可能な化粧用塗布器であって、
化粧品を塗布するためのヘッドと、第１の磁気素子によって少なくとも一部を画定される下端を含むフェルールとを含むヘッドアセンブリと、
第２の磁気素子によって少なくとも一部を画定される上端を含むハンドルと、
前記フェルール上及び前記ハンドル上のいずれかの、スライド可能なスリーブと、
を備え、
前記第１の磁気素子及び前記第２の磁気素子の少なくとも１つは、磁石であり、前記ヘッドアセンブリは、前記ヘッドアセンブリと前記ハンドルとが取り付けられたときに、前記第１の磁気素子と前記第２の磁気素子との間の磁力によって前記ハンドルに解放可能式に取り付け可能であり、
前記フェルールの前記下端及び前記ハンドルの前記上端は、凹み及び突出が実質的になく、
前記ヘッドアセンブリと前記ハンドルとが取り付けられたときに、前記スリーブは、それが前記ヘッドを少なくとも部分的に取り囲む引き出し位置と、前記ヘッドが使用のために露出され前記スリーブが前記フェルールを少なくとも部分的に取り囲む引き込み位置との間で前記ハンドルの長手方向にスライド可能である、ヘッド交換可能な化粧用塗布器。
【請求項１１】
ヘッド交換可能な塗布器のためのハンドルであって、
スライド可能なスリーブの内側部分と、前記スライド可能なスリーブの開放端によって
画定される前記ハンドルの開放端の反対側にあって磁気素子によって少なくとも部分的に画定される基部とによってもっぱら画定される空洞を備え、
前記スライド可能なスリーブは、完全引き込み位置と、完全引き出し位置との間で移動することができ、前記磁気素子と、前記ハンドルの前記開放端との間の垂直距離は、前記完全引き込み位置にあるときよりも前記完全引き出し位置にあるときのほうが大きく、
前記磁気素子と、前記ハンドルの前記開放端との間の垂直距離は、前記スライド可能なスリーブの位置に関わらず、前記空洞を画定する前記スライド可能なスリーブの前記内側部分の長さに等しい、ハンドル。
【請求項１２】
請求項１１に記載のハンドルであって、更に、
コアを備え、
前記空洞を画定する前記基部は、前記コアの最上面である、ハンドル。
【請求項１３】
請求項１１に記載のハンドルであって、更に、
前記スライド可能なスリーブの外側部分を取り囲む外側ボディを備えるハンドル。
【請求項１４】
請求項１３に記載のハンドルであって、
前記完全引き込み位置では、前記スライド可能なスリーブの、前記コアに対する更なる引き込みを制限するために、前記スライド可能なスリーブ上の第１の突出が、前記ハンドルの前記外側ボディと相互作用する、ハンドル。
【請求項１５】
請求項１３に記載のハンドルであって、
前記完全引き出し位置では、前記スライド可能なスリーブの、前記コアに対する更なる引き出しを制限するために、前記スライド可能なスリーブ上のへりが、前記コア上の第２の突出と相互作用する、ハンドル。
【国際調査報告】
2011528931.tif 000014
2011528931.tif 000015